Podtech/llm-jp-corpus-v4-ja_patent huggingface dataset:
【手続補正書】
【提出日】平成27年4月8日(2015.4.8)
【手続補正１】
【補正対象書類名】特許請求の範囲
【補正対象項目名】全文
【補正方法】変更
【補正の内容】
【特許請求の範囲】
【請求項１】
式１     
【化１】
2014511897.tif 000001
の化合物または薬学的もしくは獣医学的に許容可能な塩、又は薬学的もしくは獣医学的に許容可能な溶媒和化合物であって、
式中、
Ｒ１およびＲ３が、本明細書で使用される際には、それぞれ独立に、ＨまたはＣ１−Ｃ５アルキルを表し、
Ｒ２がハロを表し、
Ｒ４およびＲ５が、それぞれ独立に、Ｈを表し、
Ｒ６が、−Ｃ（Ｏ）ＯＲ９を表し、
Ｘが、ＯまたはＳを表し、
Ｒ９が、ＨまたはＣ１−Ｃ５アルキルを表し、且つ
ｍは１〜６の整数である、
化合物または薬学的もしくは獣医学的に許容可能な塩、または薬学的もしくは獣医学的に許容可能な溶媒和化合物。
【請求項２】
Ｒ１がＣ１−Ｃ５アルキル、好ましくはメチルを表す、請求項１に記載の化合物。
【請求項３】
Ｒ２がクロロを表す、請求項１または２に記載の化合物。
【請求項４】
Ｒ３がＨまたはＣ１−Ｃ４アルキル、好ましくはＨを表す、請求項１〜３のいずれか１項に記載の化合物。
【請求項５】
Ｒ９が、ＨまたはＣ１−Ｃ５アルキル、好ましくはＨを表す、請求項１〜４のいずれか１項に記載の化合物。
【請求項６】
ＸがＯを表す、請求項１〜５のいずれか１項に記載の化合物。
【請求項７】
ｍが１〜４の整数である、請求項１〜６のいずれか１項に記載の化合物。
【請求項８】
請求項１に記載の化合物であって、
Ｒ１はメチルを表し、
Ｒ２はクロロを表し、
Ｒ３はＨを表し、
Ｒ４及びＲ５は両方ともＨを表し、
Ｒ６は−Ｃ（Ｏ）ＯＲ９を表し、
Ｒ９はＨを表し、
ＸはＯを表し；かつｍは４であることを特徴とする、化合物。
【請求項９】
請求項１〜８のいずれか１項に記載の化合物であって、
式（Ｉ）にアスタリスク（＊）を付してマークした脂肪族炭素に関し、式（Ｉ）の化合物が実質的に（Ｒ）又は（Ｓ）のエナンチオマーを備えることを特徴とする、化合物。
【化２】
2014511897.tif 000002
【請求項１０】
式（ＩＩ）、式（ＩＩＩ）又は式（ＶＩＩ）の化合物であって：
【化３】
2014511897.tif 000003
式中、
Ｒ１、Ｒ２、Ｒ３、Ｒ４、Ｒ５、Ｒ６およびｍが、請求項１〜９のいずれか１項に記載される式（Ｉ）の化合物で定義され、式（ＩＩ）および（ＶＩＩ）の化合物中のＸが、請求項１〜９のいずれか１項に記載される式（Ｉ）の化合物で定義され、式（ＩＩＩ）の化合物中のＸが、Ｏ又はＳを表し、式（ＩＩ）の化合物中のＺが−Ｃ≡ＣＨ基または−ＳＨ基を表す、化合物。
【請求項１１】
薬学的に許容可能なアジュバント、希釈剤、またはキャリアーと共に、請求項１〜１０のいずれか１項に記載の式（Ｉ）の化合物またはその薬学的に許容可能な塩、またはその薬学的に許容可能な溶媒和化合物を含む薬学的組成物であって；
好ましくは、前記組成物は１２時間を超える持続作用時間を有し；
好ましくは、前記組成物は経口投与用であり；
好ましくは、前記組成物は肺吸入などの吸入または局所投与用であることを特徴とする薬学的組成物。
【請求項１２】
請求項１〜１１のいずれか１項に記載の式（Ｉ）の化合物、又は薬学的に許容可能な塩、又は薬学的に許容可能な溶媒和化合物、又は上述のいずれかを含む薬学的組成物であって、ヒトの薬物としての使用のための、好ましくはヒトの中枢神経系の医学的症状又は障害の治療に使用するための、又はヒトの胃腸管系、気道及び／又は皮膚の医学的症状又は障害の治療に使用するための化合物、又は薬学的に許容可能な塩、又は薬学的に許容可能な溶媒和化合物、又は上述のいずれかを含む薬学的組成物。
【請求項１３】
式（Ｉ）の化合物、または薬学的に許容可能な塩、または薬学的に許容可能な溶媒和化合物調整用プロセスであって、式（ＩＩ）の化合物中における−Ｃ≡ＣＨ基またはチオール基を酸化することを含み：
【化４】
2014511897.tif 000004
前記Ｒ１，Ｒ２，Ｒ３，Ｒ４，Ｒ５，Ｘおよびｍは式（Ｉ）の化合物に対し上述で定義され、かつＺは−Ｃ≡ＣＨ基またはチオール基を表し；
または式（Ｉ）の化合物、または薬学的に許容可能な塩、または薬学的に許容可能な溶媒和化合物調整用プロセスであって、式（ＶＩＩ）の化合物を還元することを含み：
【化５】
2014511897.tif 000005
前記Ｒ１，Ｒ２，Ｒ３，Ｒ４，Ｒ５，Ｒ６，Ｘ及びｍは式（Ｉ）の化合物に対して上述で定義されることを特徴とする、（Ｉ）の化合物、または薬学的に許容可能な塩、または薬学的に許容可能な溶媒和化合物の調整用プロセス。
【手続補正書】
【提出日】平成27年3月23日(2015.3.23)
【手続補正１】
【補正対象書類名】特許請求の範囲
【補正対象項目名】全文
【補正方法】変更
【補正の内容】
【特許請求の範囲】
【請求項１】
Ｇｃタンパク質由来のマクロファージ活性化因子（ＧｃＭＡＦ）を含む組成物であって、前記組成物は、グリコシダーゼ酵素を実質的に含まない、組成物。
【請求項２】
前記組成物のタンパク質総含有量のうちグリコシダーゼ酵素を３％未満含み、好ましくは、前記組成物のタンパク質総含有量のうちグリコシダーゼ酵素を１％未満含む、請求項１に記載の組成物。
【請求項３】
前記ＧｃＭＡＦは、アミノ酸残基と連結するＮ−アセチルガラクトサミン基を有する、ビタミンＤ結合タンパク質（Ｇｃタンパク質）またはその断片を含む、請求項１に記載の組成物。
【請求項４】
前記ＧｃＭＡＦは、配列番号１〜３のいずれか１つに示されるアミノ酸配列を含み、好ましくは、前記Ｎ−アセチルガラクトサミン基は、４１８位及び４２０位からなる群より選択される位置で、アミノ酸  スレオニンと連結するか、または、
前記Ｇｃタンパク質断片は、Ｇｃタンパク質のアミノ酸４００〜４３５に対応するアミノ酸配列を含むか、または、
前記Ｇｃ断片は、配列番号４または配列番号５に示されるアミノ酸配列からなり、好ましくは、前記Ｎ−アセチルガラクトサミン基は、４４位および４６位からなる群より選択される位置で、アミノ酸  スレオニンと連結する、請求項３に記載の組成物。
【請求項５】
前記Ｇｃタンパク質またはその断片は、血液血清から精製されるか、または、
前記Ｇｃタンパク質またはその断片は、クローン化されたポリヌクレオチドから生成される、請求項１〜４のうちいずれか１項に記載の組成物。
【請求項６】
実質的にグリコシダーゼ酵素を含まないＧｃＭＡＦ組成物を生成する工程であって、前記工程は、
（ａ）Ｇｃタンパク質またはその活性化断片を、グリコシダーゼ酵素β−ガラクトシダーゼと、または少なくとも１つの別のグリコシターゼ酵素と組み合わせたβ−ガラクトシダーゼと、ｉｎ  ｖｉｔｒｏにて接触させ（ここで、グリコシダーゼ酵素はそれぞれ、前記酵素基質を含まない固相に固定される）、Ｇｃマクロファージ活性化因子（ＧｃＭＡＦ）を得ること、及び
（ｂ）前記固定酵素を、ＧｃＭＡＦから除去し、その結果、グリコシターゼ酵素を実質的に含まないＧｃＭＡＦ組成物を得ること、
を含む、工程。
【請求項７】
前記別のグリコシダーゼ酵素は、マンノシダーゼ及びシアリダーゼからなる群より選択されるか、または、
前記ＧｃＭＡＦは、アミノ酸残基と連結するＮ−アセチルガラクトサミン基を有するＧｃタンパク質、またはその断片を含む、請求項６に記載の工程。
【請求項８】
前記Ｇｃタンパク質は、配列番号１〜３のいずれか１つで示されるアミノ酸配列、またはその断片を含み、好ましくは、前記Ｎ−アセチルガラクトサミン基は、４１８位及び４２０位からなる群より選択される位置でアミノ酸  スレオニンと連結するか、または、
前記Ｇｃタンパク質断片は、前記Ｇｃタンパク質のアミノ酸４００〜４３５に対応するアミノ酸配列を含むか、または、
前記Ｇｃタンパク質断片は、配列番号４または配列番号５で示されるアミノ酸配列からなり、好ましくは、前記Ｎ−アセチルガラクトサミン基は、４４位及び４６位からなる群から選択される位置で、アミノ酸  スレオニンと連結する、請求項７に記載の工程。
【請求項９】
前記Ｇｃタンパク質またはその断片は、血液血清から精製されるか、または、
前記Ｇｃタンパク質またはその断片は、クローン化したポリヌクレオチドから生成される、請求項６〜８のいずれか１項に記載の工程。
【請求項１０】
組成物を含有する前記ＧｃＭＡＦにイオン交換クロマトグラフィーを施すことをさらに含み、好ましくは、組成物を含有する前記ＧｃＭＡＦにアニオン交換クロマトグラフィーを施すことを含むか、または、
組成物を含有する前記ＧｃＭＡＦに疎水性相互作用クロマトグラフィーを施すことをさらに含むか、または、
組成物を含有する前記ＧｃＭＡＦにイオン交換クロマトグラフィー及び疎水性相互作用クロマトグラフィーを組み合わせて施すことをさらに含むか、または、
前記β−ガラクトシダーゼは、アクリルビーズを含む固相で固定される、請求項６に記載の工程。
【請求項１１】
請求項６〜１０のいずれか１項に記載の工程により、生成されるＧｃＭＡＦを含む組成物であって、前記組成物は、グリコシダーゼ酵素を実質的に含まない、組成物。
【請求項１２】
前記組成物のタンパク質総含有量のうちグリコシダーゼ酵素を３％未満含むか、または、
前記組成物のタンパク質総含有量のうちグリコシダーゼ酵素を１％未満含む、請求項１１に記載の組成物。
【請求項１３】
治療上許容可能な希釈剤または担体をさらに含む、請求項１に記載のマクロファージ活性化因子、または、
治療上許容可能な希釈剤または担体をさらに含む、請求項１１に記載のマクロファージ活性化因子、
を含む、治療有効量の組成物を含む医薬組成物。
【請求項１４】
静脈内投与用に製剤化される、請求項１３に記載の医薬組成物。
【請求項１５】
マクロファージの活性化を個体の必要に応じて誘導するためか、または、
癌を治療するためか、または、
ＨＩＶ感染患者を治療するための、
方法における使用のための、請求項１３に記載の医薬組成物。
【請求項１６】
前記癌または前記ＨＩＶは、α−Ｎ−アセチルガラクトサミニダーゼ（ナガラーゼ）のレベルの上昇に関連し、好ましくは、前記癌は、乳癌、前立腺癌、結腸直腸癌、肝臓癌、肺癌、頭部／頸部癌、脳癌、腎臓癌、膀胱癌、胃癌、子宮癌、卵巣癌、皮膚癌、線維肉腫、中皮腫、白血病及び黒色腫からなる群より選択される、癌を治療するためかまたはＨＩＶ感染患者を治療するための、請求項１５に記載の医薬組成物。
【手続補正書】
【提出日】平成27年4月9日(2015.4.9)
【手続補正１】
【補正対象書類名】特許請求の範囲
【補正対象項目名】全文
【補正方法】変更
【補正の内容】
【特許請求の範囲】
【請求項１】
対象において骨軟骨組織に対する損傷又は傷害を治療するための、極小胚様幹細胞（VSELs）の有効量を含んで成る医薬組成物であって、該VSELsが分化し骨軟骨組織を治療する、医薬組成物。
【請求項２】
前記VSELsが、骨芽細胞へ分化する、請求項１に記載の医薬組成物。
【請求項３】
前記VSELsが、軟骨細胞へ分化する、請求項１に記載の医薬組成物。
【請求項４】
前記組織へ直接投与される、請求項１に記載の医薬組成物。
【請求項５】
全身に投与される、請求項１に記載の医薬組成物。
【請求項６】
１mm3当たり約20〜約5 x 105 VSELsを含んでなる、請求項４に記載の医薬組成物。
【請求項７】
１mm3当たり約40〜約4,000 VSELsを含んでなる、請求項４に記載の医薬組成物。
【請求項８】
１mm2当たり約10〜約1 x 105 VSELsを含んでなる、請求項４に記載の医薬組成物。
【請求項９】
１mm2当たり約25〜約500 VSELsを含んでなる、請求項４に記載の医薬組成物。
【請求項１０】
適したマトリックスを含んでなる、請求項４に記載の医薬組成物。
【請求項１１】
前記マトリックスが、生分解性である、請求項１０に記載の医薬組成物。
【請求項１２】
１又は２以上の骨形成タンパク質（BMPs）を含んでなる、請求項１に記載の医薬組成物。
【請求項１３】
前記骨軟骨組織が骨である、請求項１に記載の医薬組成物。
【請求項１４】
前記骨軟骨組織が軟骨である、請求項１に記載の医薬組成物。
【請求項１５】
前記骨軟骨組織が関節軟骨である、請求項１に記載の医薬組成物。
【請求項１６】
少なくとも約50% VSELsである細胞を含んでなる、請求項１に記載の医薬組成物。
【請求項１７】
少なくとも約70% VSELsである細胞を含んでなる、請求項１に記載の医薬組成物。
【請求項１８】
少なくとも約90% VSELsである細胞を含んでなる、請求項１に記載の医薬組成物。
【請求項１９】
前記VSELsが、自己VSELsである、請求項１に記載の医薬組成物。
【請求項２０】
前記VSELsが、同種VSELsである、請求項１に記載の医薬組成物。
【請求項２１】
前記VSELsが、ヒト由来である、請求項１に記載の医薬組成物。
【請求項２２】
骨形成不全症を治療するために使用される、請求項１に記載の医薬組成物。
【請求項２３】
変形性関節症を治療するために使用される、請求項１に記載の医薬組成物。
【請求項２４】
骨粗しょう症を治療するために使用される、請求項１に記載の医薬組成物。
【請求項２５】
骨軟骨組織の再生又は修復に十分なVSELsの有効量を含んで成る、幹細胞組成物。
【請求項２６】
１mm3当たり約20〜約5 x 105 VSELsを含んでなる、請求項２５に記載の幹細胞組成物。
【請求項２７】
１mm3当たり約40〜約4,000 VSELsを含んでなる、請求項２５に記載の幹細胞組成物。
【請求項２８】
１mm2当たり約10〜約1 x 105 VSELsを含んでなる、請求項２５に記載の幹細胞組成物。
【請求項２９】
１mm2当たり約25〜約500 VSELsを含んでなる、請求項２５に記載の幹細胞組成物。
【請求項３０】
適したマトリックスを含んでなる、請求項２５に記載の幹細胞組成物。
【請求項３１】
前記マトリックスが生分解性である、請求項３０に記載の幹細胞組成物。
【請求項３２】
１又は２以上の骨形成タンパク質（BMPs）を含んでなる、請求項２５に記載の幹細胞組成物。
【請求項３３】
骨芽細胞に分化可能である、請求項２５に記載の幹細胞組成物。
【請求項３４】
軟骨細胞に分化可能である、請求項２５に記載の幹細胞組成物。
【請求項３５】
少なくとも約50% VSELsである細胞を含んでなる、請求項２５に記載の幹細胞組成物。
【請求項３６】
少なくとも約70% VSELsである細胞を含んでなる、請求項２５に記載の幹細胞組成物。
【請求項３７】
少なくとも約90% VSELsである細胞を含んでなる、請求項２５に記載の幹細胞組成物。
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
対象における代謝障害を治療するための医薬組成物であって、単離されたヒトＧＤＦ１５ポリペプチドを含む、医薬組成物。
【請求項２】
前記代謝障害が２型糖尿病である請求項１に記載の医薬組成物。
【請求項３】
前記代謝障害が脂質異常症である請求項１に記載の医薬組成物。
【請求項４】
前記代謝障害が肥満である請求項１に記載の医薬組成物。
【請求項５】
前記代謝障害が糖尿病性腎症である請求項１に記載の医薬組成物。
【請求項６】
前記代謝障害は、前記対象が１００ｍｇ／ｄＬ以上の空腹時血糖値を有する状態を含む請求項１に記載の医薬組成物。
【請求項７】
前記対象が哺乳類動物である請求項１に記載の医薬組成物。
【請求項８】
前記哺乳類動物がヒトである請求項７に記載の医薬組成物。
【請求項９】
前記ＧＤＦ１５タンパク質が配列番号２、６、および１０のうちの１つを含む請求項１に記載の医薬組成物。
【請求項１０】
前記ＧＤＦ１５ポリペプチドが配列番号１、５、および９のうちの１つによりコードされる請求項１に記載の医薬組成物。
【請求項１１】
薬学的に許容される担体と混合して前記ＧＤＦ１５ポリペプチドを含む請求項１に記載の医薬組成物。
【請求項１２】
前記対象の血糖値を決定する請求項１に記載の医薬組成物。
【請求項１３】
前記対象の血清インスリン値を決定する請求項１に記載の医薬組成物。
【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
式（Ｉ）で表される化合物
【化１】
2014511846.tif 000001
（式中、
Ｒ１は、−（ＣＯ）−ＯＲ３、−（ＣＯ）−ＮＲ４Ｒ５、複素環基、アリール、アラルキル又はシアノであり、
Ｒ２は、酵素反応性基であって、糖基、糖酸基、アミノ糖基、カルボキシル末端化アミノ酸基、カルボキシル末端化ペプチド基、エステル基、エステル含有基、ホスフェート基又はスルファート基であり、
Ｒ３は、アルキル、アルケニル、アリール又はアラルキルであり、
Ｒ４及びＲ５は、各々独立して水素、アルキル、アリール又はアラルキルであり、
（ａ）Ｘ１は水素でありかつＸ２はフルオロであるか、又は（ｂ）Ｘ１はフルオロでありかつＸ２は水素であるかのいずれかである）。
【請求項２】
ａ）支持層である第一層と、
ｂ）前記支持層に隣接する第二層と、を含む物品であって、
前記第二層が、式（Ｉ）で表される化合物
【化２】
2014511846.tif 000002
（式中、
Ｒ１は、−（ＣＯ）−ＯＲ３、−（ＣＯ）−ＮＲ４Ｒ５、複素環基、アリール、アラルキル又はシアノであり、
Ｒ２は、酵素反応性基であり、
Ｒ３は、アルキル、アルケニル、アリール又はアラルキルであり、
Ｒ４及びＲ５は、各々独立して水素、アルキル、アリール又はアラルキルであり、
（ａ）Ｘ１は水素でありかつＸ２はフルオロであるか、又は（ｂ）Ｘ１はフルオロでありかつＸ２は水素であるかのいずれかである）を含む、物品。
【請求項３】
微生物を検出するための方法であって、
式（Ｉａ）で表される蛍光性化合物
【化３】
2014511846.tif 000003
（式中、
Ｒ１は、−（ＣＯ）−ＯＲ３、−（ＣＯ）−ＮＲ４Ｒ５、複素環基、アリール、アラルキル又はシアノであり、
Ｒ２ａは、酵素反応性基であり、
Ｒ３は、アルキル、アルケニル、アリール又はアラルキルであり、
Ｒ４及びＲ５は、各々独立して水素、アルキル、アリール又はアラルキルであり、
（ａ）Ｘ１は水素でありかつＸ２はフルオロであるか、又は（ｂ）Ｘ１はフルオロでありかつＸ２は水素であるかのいずれかである）を提供することと、
試験サンプルを前記式（Ｉａ）で表される蛍光性化合物とインキュベートすることであって、前記試験サンプルが酵素を含有し、該酵素がＲ２ａ基を切断して、式（Ｉｂ）で表される発蛍光団化合物を形成することと、
【化４】
2014511846.tif 000004
式（Ｉｂ）で表される発蛍光団化合物を第一波長の光で励起させることと、
前記第一波長よりも長波長の第二波長で放射される光を検出することと、を含む、方法。
【手続補正書】
【提出日】平成27年6月8日(2015.6.8)
【手続補正１】
【補正対象書類名】明細書
【補正対象項目名】００５３
【補正方法】変更
【補正の内容】
【００５３】
幾つかの実施形態において、Ｒｗ、Ｒｘ及びＲｙは、独立してそれぞれの場合に水素原子、（Ｃ１−Ｃ８）シラアルカン基、及び（Ｃ１−Ｃ１０）炭化水素基から選択される。幾つかの実施形態において、Ｒｗ、Ｒｘ及びＲｙは、独立してそれぞれの場合に水素原子、（Ｃ１−Ｃ１０）アルキル基、（Ｃ２−Ｃ１０）アルケニル基、及び場合によりメチレン基によって結合されていることがある飽和又は不飽和の環式（Ｃ４−Ｃ８）炭化水素基から選択される。幾つかの実施形態において、Ｒｙは、水素原子又は（Ｃ１−Ｃ７）炭化水素基である。他の実施形態において、Ｒｙは、水素原子、メチル基、エチル基、プロピル基、ブチル基、フェニル基、又はベンジル基である。幾つかの実施形態において、Ｒｘは、Ｒｘが結合された炭素原子上に形成されるカチオンを安定化する基から選択される。例えば、Ｒｘは、フェニル基、アルケン基、アルキン基、シクロプロピル基、及び−ＣＨ２Ｓｉ（ＣＨ３）３から選択されることができる。
【手続補正２】
【補正対象書類名】明細書
【補正対象項目名】０１６４
【補正方法】変更
【補正の内容】
【０１６４】
図３は、添加された塩基の存在下（図３Ａ）及び非存在下（図３Ｂ）での２９ＯＧ及び２９ＯＣの分解動態を示す。図３Ａは２９ＯＧ及び２９ＯＣの熱（無触媒）分解を示す。ＡＡ濃度対時間の自然対数は、２９ＯＧ及び２９ＯＣに対する速度定数がそれぞれ０．００９×１０−５ｓ−１及び０．４３×１０−５ｓ−１であることを生ずる。これらの遅い分解速度において、２９ＯＧは１４５℃で２９日間の加熱後わずか２０％分解する。両方の化合物は測定されたいずれのジェネレーション２ＡＡよりも熱安定性である。図３Ｂは塩基の非存在下での２９ＯＧ及び２９ＯＣの分解を示す。ＡＡ濃度対時間は自触媒分解の特徴的なプロファイルを示す。当初は、分解を示していないが、いったん少量の酸が熱的に生成されると、化合物は両方とも大変に短時間期間に急速に分解する。２９ＯＧ及び２９ＯＣの自触媒速度定数は実験誤差範囲内で同じであり、それぞれ、０．１１（Ｍｓ）−１及び０．１２（Ｍｓ）−１である。
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
泌尿器科の炎症を治療または予防する医薬の製造ための使用における
ａ．部分的若しくは完全硫酸化ヒアルロナン、または医薬的に許容可能な塩若しくはそのエステル、またはこれらの組み合わせ、または
ｂ．前記ヒアルロナンまたはその医薬的に許容可能な塩若しくはそのエステルが、少なくとも１つの硫酸基と、アルキル基またはフルオロアルキル基を含んでなるＮ−アセチル−グルコサミン残基の少なくとも１つの第一級Ｃ−６ヒドロキシル位を含む、改変型ヒアルロナンまたは医薬的に許容可能な塩若しくはそのエステル、
の使用。
【請求項２】
請求項１に記載の使用において、前記化合物が改変型ヒアルロナンまたは医薬的に許容可能な塩若しくはそのエステルであることを特徴とする使用。
【請求項３】
請求項２に記載の使用において、前記アルキル基がメチルであり、前記フルオロアルキル基が少なくとも１つのトリフルオロメチル基を含むことを特徴とする使用。
【請求項４】
請求項２に記載の使用において、前記Ｎ−アセチルグルコサミン残基のＣ−４ヒドロキシル位、前記グルクロン酸残基のＣ−２位、前記グルクロン酸、またはそれらの任意の組み合わせのＣ−３位で前記ヒアルロナンが硫酸化されることを特徴とする使用。
【請求項５】
請求項２に記載の使用において、前記アルキル基はメチルであり、少なくとも１つのＣ−２ヒドロキシルプロトン及び／またはＣ−３ヒドロキシルプロトンが硫酸基で置換され、かつ前記化合物の分子量が２ｋＤａ〜１０ｋＤａであることを特徴とする使用。
【請求項６】
請求項２に記載の使用において、前記化合物が部分的若しくは完全硫酸化ヒアルロナン、または前記医薬的に許容可能な塩若しくはそのエステルであることを特徴とする使用。
【請求項７】
請求項６に記載の使用において、前記硫酸化ヒアルロナン又はその医薬的に許容可能な塩若しくはそのエステルの置換度が３．５〜４．０であることを特徴とする使用。
【請求項８】
請求項６に記載の使用において、前記硫酸化ヒアルロナンの平均分子サイズが２ｋＤａ〜１０ｋＤａであることを特徴とする使用。
【請求項９】
請求項１に記載の使用において、前記医薬が更に、消炎剤、解熱性剤、消炎の用に供するステロイド薬及び非ステロイド薬、ホルモン、成長因子、避妊薬、抗ウイルス剤、抗菌剤、抗真菌薬、鎮痛薬、催眠薬、鎮静剤、精神安定剤、抗痙攣薬、筋弛緩薬、局所麻酔薬、鎮痙薬、抗潰瘍薬、ペプチド性アゴニスト、交感神経作動薬、心血管薬剤、制癌薬、またはオリゴヌクレオチドを更に含むことを特徴とする使用。
【請求項１０】
請求項１に記載の使用において、前記医薬が、静脈内投与、筋肉投与、皮下投与、経口摂取による投与、または経粘膜投与に適した製剤を含むことを特徴とする使用。
【請求項１１】
請求項１に記載の使用において、前記医薬が、経頬投与、舌下投与、経口投与、経膣投与、経鼻腔投与、経直腸投与、又は膀胱内注入に適した製剤を含むことを特徴とする使用。
【請求項１２】
請求項１に記載の使用において、前記泌尿器科の炎症が前記膀胱、尿道、尿路上皮内膜、腎臓、前立腺、膣、子宮、またはそれらの任意の組み合わせの炎症を含むことを特徴とする使用。
【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
下記の化合物からなる群より選ばれることを特徴とする化合物またはその薬学的に許容可能な塩：
ＣＰＴ１：９−（Ｎ−ｔｅｒｔ−ブトキシエチル）オキシム−１０−［（４’−ピペリジノピペリジン）カルボニルオキシ］−カンプトテシン、
ＣＰＴ２：９−（Ｎ−ｔｅｒｔ−ブトキシエチル）オキシム−１０−ヒドロキシ−カンプトテシン、
ＣＰＴ３：９−（Ｎ−ｔｅｒｔ−ブトキシエチル）オキシム−１０−フルオロ−カンプトテシン、
ＣＰＴ７：９−（Ｎ−ｔｅｒｔ−ブトキシエチル）オキシム−カンプトテシン、
ＣＰＴ８：９−（Ｎ−ｔｅｒｔ−ブトキシエチル）オキシム−１０−カルボニルオキシ−カンプトテシン。
【請求項２】
前記塩は、塩酸塩、臭化水素酸塩、リン酸塩、硫酸塩、酢酸塩、トリフルオロ酢酸塩、クエン酸塩、マレイン酸塩、シュウ酸塩、コハク酸塩、安息香酸塩、酒石酸塩、フマル酸塩、マンデル酸塩、アスコルビン酸塩、リンゴ酸塩、メタンスルホン酸塩、および、ｐ−トルエンスルホン酸塩から選ばれる請求項１の化合物またはその薬学的に許容可能な塩。
【請求項３】
治療有効用量の請求項１に記載の化合物またはその薬学的に許容可能な塩、および通常の薬用補助材料を含むことを特徴とする薬物組成物。
【請求項４】
前記薬物組成物が、経口投与型または注射剤型に調製されることを特徴とする請求項３に記載の薬物組成物。
【請求項５】
請求項１に記載の化合物またはその薬学的に許容可能な塩の腫瘍性疾患の治療用薬物の製造における応用。
【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
下記：
(i)興味対象の特異的二本鎖DNA標的配列に対するDNA結合特異性を有する反復可変ジペプチド領域(RVD)を含んでなる１つのコア転写アクチベーター様エフェクター(TALE)足場；
(ii)(i)のコアTALE足場のＣ末端又はＮ末端に融合されたとき前記興味対象の二本鎖DNA標的配列に近接するDNAを切断し得る少なくとも１つのI-TevI触媒ドメイン；
を含んでなる、前記標的DNAに結合して二本鎖DNAを切断するコンパクト転写アクチベーター様エフェクターヌクレアーゼ(TALEN)モノマー。
【請求項２】
(ii)の触媒ドメインを(i)のコアTALE足場に融合させるための１つのペプチド性リンカー
を更に含んでなる請求項１に記載のコンパクトTALENモノマー。
【請求項３】
前記触媒ドメインが前記コアTALE足場のＣ末端ドメインに融合されている請求項１又は２に記載のコンパクトTALENモノマー。
【請求項４】
前記触媒ドメインが前記コアTALE足場のＮ末端ドメインに融合されている請求項１又は２に記載のコンパクトTALENモノマー。
【請求項５】
配列番号426〜432の群より選択されるタンパク質配列と、少なくとも80％、より好ましくは90％、またより好ましくは95％のアミノ酸配列同一性を有するタンパク質配列を含んでなる請求項１〜４のいずれか１項に記載のコンパクトTALENモノマー。
【請求項６】
前記ペプチド性リンカー配列が配列番号67〜104及び配列番号372〜配列番号415からなる群より選択され得る請求項１〜５のいずれか１項に記載のコンパクトTALENモノマー。
【請求項７】
請求項１〜６のいずれか１項に記載のコンパクトTALENをコードする組換えポリヌクレオチド。
【請求項８】
請求項７に記載の組換えポリヌクレオチドを含んでなるベクター。
【請求項９】
請求項１〜６のいずれか１項に記載のコンパクトTALENと医薬的に活性なキャリアとを含んでなる医薬組成物。
【請求項１０】
請求項７に記載の組換えポリヌクレオチドを含んでなる宿主細胞。
【請求項１１】
請求項７に記載の組換えポリヌクレオチドを含んでなる非ヒトトランスジェニック動物。
【請求項１２】
請求項７に記載の組換えポリヌクレオチドを含んでなるトランスジェニック植物。
【請求項１３】
請求項１〜６のいずれか１項に記載のコンパクトTALENモノマー及び興味対象の単一の二本鎖DNA標的配列のDNAプロセシング効率を増大させることに使用するための指示書を含んでなるキット。
【請求項１４】
(ａ)興味対象の１つのDNA標的配列を二本鎖DNAの一方の鎖上で選択し；
(ｂ)請求項１〜６のいずれか１項に記載のコンパクトTALENモノマーを提供し；
(ｃ)前記二本鎖DNAを前記モノマーと、該コンパクトTALENモノマーが前記二本鎖DNA切断するように接触させる
ことを含んでなる、二本鎖DNAを標的して切断する方法。
【請求項１５】
細胞、組織又は非ヒト動物の遺伝子座の特異的な単一の二本鎖DNA標的配列中に導入遺伝子を挿入する方法であって、少なくとも１つの請求項１〜６のいずれか１項に記載のコンパクトTALENモノマーが前記細胞、組織又は非ヒト動物に導入される方法。
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
複数相電力配電システムの少なくとも一相で送信される信号を検出する方法で、信号の成分が前記システムの中性相を含む複数の相で並行して現れるものであって、
システムの中性相を含む全相に現れる入力信号を信号検出器で検出する過程と、
各相からの検出された信号を信号処理装置に与える過程と、
検出された信号成分を信号処理装置で処理する過程とを含み、
信号成分を処理する過程において、中性相を含む各相に現れる各信号の全成分を合成して、信号強度が電力配電システムの個々の相のいずれで観測されうるものよりも大きい合成信号を生成することを特徴とする方法。
【請求項２】
前記システムの他の位相に他の信号が存在する場合、これらの他の信号から前記被検出信号に対して結果として生じるいかなる干渉も前記検出信号から除去され、それにより前記検出信号の質を改善する、請求項１の方法。
【請求項３】
前記信号処理装置は信号検出のために並行位相アルゴリズムを使用する、請求項１の方法。
【請求項４】
前記並行位相アルゴリズムは前記配電システムの前記各相に対する別々の信号処理アルゴリズムを統合したものである、請求項３の方法。
【請求項５】
前記各相に対する前記信号検出器はバンドパスフィルタとチャネル分離フィルタとを含む、請求項１の方法。
【請求項６】
前記信号処理装置は、前記配電システムの前記各相のフィルタ処理された前記検出信号のサンプルを得て、該サンプルを使用して前記各それぞれの相からの信号を含む単一の並列信号マトリクスを形成する、請求項５の方法。
【請求項７】
前記各並列信号マトリクスが、メイン検出窓を表すメイン窓信号部と、前記メイン部の前の時間範囲を表すプレ窓信号部と、前記メイン部の後の時間範囲を表すポスト窓信号部の３つの時間範囲からの信号サンプルを含む、請求項６の方法。
【請求項８】
前記各相からの前記信号のメイン、プレ、及びポスト窓部分を別々の並列マトリクスに編成することによって、前記並列信号マトリクスを３つの並列でウィンドウ処理されたマトリクスに形成する過程をさらに含む、請求項７の方法。
【請求項９】
前記各並列でウィンドウ処理されたマトリクスは、他の並列でウィンドウ処理されたマトリクスの各々と同じ大きさを有する、請求項８の方法。
【請求項１０】
前記並列でウィンドウ処理されたマトリクスを処理する過程において、
相関検出器を使用して初期ビット値を推定し、
各データマトリクスの近似を行い、
近似されたデータを使用して各ビット推定値を改良する、請求項８の方法。
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
少なくとも1つのAng2-結合要素、
少なくとも1つのDll4-結合要素、および、
少なくとも1つの血清アルブミン結合要素、
を含む、二重特異性結合分子であって、
前記Ang2-結合要素、Dll4-結合要素、および、血清アルブミン結合要素が、免疫グロブリン単一可変ドメインであり、前記免疫グロブリン単一可変ドメインが、それぞれ4つのフレームワーク領域および3つの相補性決定領域からなり、前記二重特異性結合分子が
（i）DLLANGBII00017（配列番号476）に存在するCDR配列、
（ii）DLLANGBII00018（配列番号477）に存在するCDR配列、および、
（iii）DLLANGBII00019（配列番号478）に存在するCDR配列、
を有する二重特異性結合分子からなる群より選ばれる、
前記二重特異性結合分子。
【請求項２】
免疫グロブリン単一可変ドメインがVHHである、請求項１記載の二重特異性結合分子。
【請求項３】
以下の（i）〜（iii）の二重特異性結合分子からなる群より選ばれる、請求項２記載の二重特異性結合分子：
（i）Dll4-結合要素としてDLLBII00018 VHHドメイン、
血清アルブミン結合要素としてAlb11ドメイン（配列番号519）、および、
Ang2-結合要素として二つのANGBII000921 VHHドメイン（配列番号485）、
を上記順序で含む分子；
（ii）DYAIG配列（配列番号495、498、513、516）を有するCDR1、AIRSSGGSTYYADSVKG配列（配列番号514、517）を有するCDR2、および、VPAGRLRYGEQWYPIYEYDA配列（配列番号515）を有するCDR3、を含む一つのAng2-結合領域、
Dll4-結合要素としてDLLBII00018ドメイン、
血清アルブミン結合要素としてAlb11ドメイン（配列番号519）、
を上記順序で含む分子；および
（iii）２つのAng2-結合ドメインであって、前記ドメインがそれぞれDYAIG配列（配列番号495、498、513、516）を有するCDR1、AIRSSGGSTYYADSVKG配列（配列番号514、517）を有するCDR2、および、 VPAGRLRYGEQWYPIYEYDA配列（配列番号518）を有するCDR3、を含む、前記２つのAng2-結合領域、
Dll4-結合要素としてDLL00018ドメイン、および、
血清アルブミン結合要素としてAlb11ドメイン（配列番号519）、
を上記順序で含む分子。
【請求項４】
以下からなる群より選ばれる、請求項３記載の二重特異性結合分子：
（i）DLLANGBII00017（配列番号476）、
（ii）DLLANGBII00018（配列番号477）、および
（iii）DLLANGBII00019（配列番号478）。
【請求項５】
請求項1から４のいずれか1項に記載の結合分子をコードする核酸分子。
【請求項６】
請求項５記載の核酸分子を含むベクター。
【請求項７】
請求項５記載の核酸分子または請求項６記載のベクターを含む宿主細胞。
【請求項８】
活性成分として、請求項1から４のいずれか1項に記載の二重特異性結合分子の少なくとも1つを含む医薬組成物。
【請求項９】
脈管形成におけるDll4-媒介作用及び／又はAng2-媒介作用と関係する疾患を治療するための、請求項８記載の医薬組成物。
【請求項１０】
癌及び癌様疾患を治療するための、請求項８または９記載の医薬組成物。
【請求項１１】
眼の疾患を治療するための、請求項８または９記載の医薬組成物。
【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
配列番号：１の核酸塩基３００８ないし３０３３の等しい長さの部分と相補的である少なくとも１２個の連続する核酸塩基の部分を含んでなる核酸塩基配列を有する、１２ないし３０個の結合されたヌクレオシドからなる一本鎖修飾オリゴヌクレオチドを含んでなる化合物であって、ここで、前記核酸塩基配列が、配列番号：１と相補的である、前記化合物。
【請求項２】
前記修飾オリゴヌクレオチドの核酸塩基配列が、配列番号：２４５又は配列番号：１０４５の配列を含んでなる、請求項１に記載の化合物。
【請求項３】
前記修飾オリゴヌクレオチドの核酸塩基配列が、配列番号：２４５の配列からなる、請求項１又は２に記載の化合物。
【請求項４】
少なくとも一つのヌクレオシド間結合が、修飾ヌクレオシド間結合である、請求項１−３のいずれか１項に記載の化合物。
【請求項５】
それぞれのヌクレオシド間結合が、ホスホロチオエートヌクレオシド間結合である、請求項１−４のいずれか１項に記載の化合物。
【請求項６】
少なくとも一つのヌクレオシドが、修飾糖を含んでなる、請求項１−５のいずれか１項に記載の化合物。
【請求項７】
少なくとも一つの修飾糖が、二環式糖である、請求項６に記載の化合物。
【請求項８】
前記二環式糖が、４’−ＣＨ２−Ｏ−２’架橋又は４’−ＣＨ（ＣＨ３）−Ｏ−２’架橋を含んでなる、請求項７に記載の化合物。
【請求項９】
前記修飾糖が、２’−Ｏ（ＣＨ２）２−ＯＣＨ３基又は２’−Ｏ−ＣＨ３基を含んでなる、請求項６に記載の化合物。
【請求項１０】
少なくとも一つのヌクレオシドが、修飾核酸塩基を含んでなる、請求項１−９のいずれか１項に記載の化合物。
【請求項１１】
前記修飾核酸塩基が、５’−メチルシトシンである、請求項１０に記載の化合物。
【請求項１２】
前記修飾オリゴヌクレオチドが：
１ないし５個の結合したヌクレオシドからなる５’−ウイング；
１ないし５個の結合したヌクレオシドからなる３’−ウイング；
８ないし１２個の結合された２’−デオキシヌクレオシドからなる５’−ウイング及び３’−ウイング間のギャップ；
を含んでなり；そして
ここで、５’−ウイング及び３’−ウイングの少なくとも一方が、少なくとも一つの二環式ヌクレオシド又は一つの２’−置換ヌクレオシドを含んでなる；
請求項１−１１のいずれか１項に記載の化合物。
【請求項１３】
前記修飾オリゴヌクレオチドが：
１ないし５個の結合したヌクレオシドからなる５’−ウイング；
１ないし５個の結合したヌクレオシドからなる３’−ウイング；
８ないし１２個の結合された２’−デオキシヌクレオシドからなる５’−ウイング及び３’−ウイング間のギャップ；
を含んでなり；そして
ここで、５’−ウイング及び３’−ウイングの少なくとも一方が、少なくとも一つの二環式ヌクレオシド及び少なくとも一つの２’−置換ヌクレオシドを含んでなる；
請求項１−１２のいずれか１項に記載の化合物。
【請求項１４】
前記修飾オリゴヌクレオチドが：
３個の結合したヌクレオシドからなる５’−ウイング；
３個の結合したヌクレオシドからなる３’−ウイング；
１０個の結合された２’−デオキシヌクレオシドからなる５’−ウイング及び３’−ウイング間のギャップ；
を含んでなり； 
ここで、５’−ウイング及び３’−ウイングのそれぞれの各ヌクレオシドが、拘束エチルヌクレオシドを含んでなり；
ここで、それぞれのヌクレオシド間結合が、ホスホロチオエート結合であり；そして
ここで、それぞれのシトシンが、５’−メチルシトシンである；
請求項１−１３のいずれか１項に記載の化合物。
【請求項１５】
１２ないし３０個の結合したヌクレオシドからなり、かつ配列番号：２４５の核酸塩基配列の少なくも１２個の連続する核酸塩基を含んでなる核酸塩基配列を有する修飾オリゴヌクレオチドを含んでなる化合物。
【請求項１６】
１２ないし２２個の結合したヌクレオシドからなる修飾オリゴヌクレオチドを含んでなる化合物であって、前記修飾オリゴヌクレオチドは：
１ないし５個の結合したヌクレオシドからなる５’−ウイング；
１ないし５個の結合したヌクレオシドからなる３’−ウイング；
８ないし１２個の結合された２’−デオキシヌクレオシドからなる５’−ウイング及び３’−ウイング間のギャップ；
を含んでなり；
ここで、５’−ウイング及び３’−ウイングの少なくとも一方は、少なくとも一つの二環式ヌクレオシド又は２’−置換ヌクレオシドを含んでなり；
ここで、修飾オリゴヌクレオチドの核酸塩基配列は、配列番号：２４５の配列からなり；そして
ここで、前記化合物は、ＳＴＡＴ３のｍＲＮＡ発現を阻害する、前記化合物。
【請求項１７】
５’−ウイング及び３’−ウイングの少なくとも一方が、少なくとも一つの２’−デオキシヌクレオシドを含んでなる、請求項１２−１６のいずれか１項に記載の化合物。
【請求項１８】
一本鎖修飾オリゴヌクレオチドからなる、請求項１２−１７のいずれか１項に記載の化合物。
【請求項１９】
少なくとも一つの二環式ヌクレオシドを含んでなる、請求項１２−１８のいずれか１項に記載の化合物。
【請求項２０】
少なくとも一つの二環式ヌクレオシドが、４’−ＣＨ（ＣＨ３）−Ｏ−２’架橋又は４’−ＣＨ２−Ｏ−２’架橋を含んでなる、請求項１９に記載の化合物。
【請求項２１】
それぞれの二環式ヌクレオシドが、４’−ＣＨ（ＣＨ３）−Ｏ−２’架橋又は４’−ＣＨ２−Ｏ−２’架橋を含んでなる、請求項１９に記載の化合物。
【請求項２２】
少なくとも一つのヌクレオシド間結合が、修飾ヌクレオシド間結合である、請求項１２−２１のいずれか１項に記載の化合物。
【請求項２３】
それぞれの修飾ヌクレオシド間結合が、ホスホロチオエート結合である、請求項２２に記載の化合物。
【請求項２４】
少なくとも一つのヌクレオシドが、修飾核酸塩基を含んでなる、請求項１２−２３のいずれか１項に記載の化合物。
【請求項２５】
前記修飾核酸塩基が、５’−メチルシトシンである、請求項２４に記載の化合物。
【請求項２６】
１２ないし３０個の結合したヌクレオシドからなり、かつ配列番号：１の核酸塩基３００８ないし３０３３の等しい長さの部分と相補的である少なくとも１２個の連続する核酸塩基を含んでなる核酸塩基配列を有する一本鎖修飾オリゴヌクレオチドを含んでなる、動物における過剰増殖性疾病の治療剤であって、ここで、前記核酸塩基配列が、配列番号：１と相補的である、前記剤。
【請求項２７】
１２ないし３０個の結合したヌクレオシドからなり、かつ配列番号：２４５又は配列番号：１０４５の少なくとも１２個の連続する核酸塩基を含んでなる核酸塩基配列を有する修飾オリゴヌクレオチドを含んでなる、動物における過剰増殖性疾病の治療剤。
【請求項２８】
前記過剰増殖性疾病が癌である、請求項２６又は２７に記載の剤。
【請求項２９】
請求項１−２８のいずれか１項に記載の化合物又は剤及び医薬的に受容可能な希釈剤又は担体を含んでなる医薬組成物。
【手続補正書】
【提出日】平成27年1月16日(2015.1.16)
【手続補正１】
【補正対象書類名】特許請求の範囲
【補正対象項目名】全文
【補正方法】変更
【補正の内容】
【特許請求の範囲】
【請求項１】
多入力三次元環境ナビゲーション（８００）のための方法であって、
第１三次元ベクトル外挿（８０４）を提供するために第１入力（８０２）を三次元空間に外挿すること（８０４）と、
第１三次元ベクトル外挿（８０４）に基づいて計算した第２三次元ベクトル外挿に基づいてビューイングパースペクティブ（１００６）を再配置することと、
を含み、
第１入力が１本の指によるパン又は２点タッチを含み、１本の指によるパンがカメラズームと仮想カメラ位置の向きとを固定しつつ視錐台を二次元並進で移動させ、２点タッチが、三次元空間内の仮想タッチ点における三次元空間へのベクトル外挿であるユーザインタフェース上の２つのタッチ点を含み、仮想タッチ点が２つのタッチ点が移動される際に２つのタッチ点の下方にとどまる、方法。
【請求項２】
ユーザインタフェース（７１２）上で第１入力（８０２）を受信することをさらに含む、請求項１に記載の方法。
【請求項３】
第１入力が、タッチ（８０２）を含む、請求項１に記載の方法。
【請求項４】
第１入力の位置がユーザインタフェース（７１２）上で移動する際に、三次元空間における第１点をユーザインタフェース（７１２）上の第１入力の位置の下方に保つ仮想カメラの視錐台（１００２）を決定すること（８１２）をさらに含む、請求項１に記載の方法。
【請求項５】
ユーザインタフェース（７１２）上の第１入力の第１位置のユーザインタフェース（７１２）上の第２入力位置への再配置を受信すること（８０８）をさらに含む、請求項１に記載の方法。
【請求項６】
第２三次元ベクトル外挿を提供するために第２入力の位置を三次元空間に外挿すること（８１０）をさらに含む、請求項５に記載の方法。
【請求項７】
第２三次元ベクトル外挿に基づいて三次元仮想構造を操作を操作すること（８１４）をさらに含む、請求項６に記載の方法。
【請求項８】
第１入力を受信するユーザインタフェース（７１２）と、
第１入力を三次元空間に外挿して、第１三次元ベクトル外挿を提供するベクトル外挿器（７０８）と、
第１三次元ベクトル外挿に基づいて計算した第２三次元ベクトル外挿に基づいてビューイングパースペクティブ（１００６）を再配置するパースペクティブロケータ（７１０）と、
を含み、
第１入力が１本の指によるパン又は２点タッチを含み、１本の指によるパンがカメラズームと仮想カメラ位置の向きとを固定しつつ視錐台を二次元並進で移動させ、２点タッチが、三次元空間内の仮想タッチ点における三次元空間へのベクトル外挿であるユーザインタフェース上の２つのタッチ点を含み、仮想タッチ点が２つのタッチ点が移動される際に２つのタッチ点の下方にとどまる、多入力三次元環境装置。
【請求項９】
ユーザインタフェース（７１２）が、タッチセンサー式画面（７１４）を含む、請求項８に記載の多入力三次元環境装置。
【請求項１０】
第１入力が、タッチを含む、請求項８に記載の多入力三次元環境装置。
【請求項１１】
ベクトル外挿器（７０８）が、第１入力の位置がユーザインタフェース（７１２）上で移動する際に、三次元空間における第１点をユーザインタフェース（７１２）上の第１入力の位置の下方に保つ仮想カメラの視錐台（１００２）を決定する、請求項８に記載の多入力三次元環境装置。
【請求項１２】
ベクトル外挿器（７０８）が、第２入力位置を三次元空間に外挿して、第２三次元ベクトル外挿を提供する、請求項８に記載の多入力三次元環境装置。
【請求項１３】
パースペクティブロケータ（７１０）が、第２三次元ベクトル外挿に基づいて三次元仮想環境を操作する、請求項１２に記載の多入力三次元環境装置。
【手続補正書】
【提出日】平成27年2月12日(2015.2.12)
【手続補正１】
【補正対象書類名】特許請求の範囲
【補正対象項目名】全文
【補正方法】変更
【補正の内容】
【特許請求の範囲】
【請求項１】
ロウ及びカラムに配置されるピクセルのアレイを備える表示パネルであって、前記ピクセルの各々が、少なくとも３つの異なる色のサブピクセルを含む少なくとも４つのサブピクセルを有する表示パネル、
ユーザに向けて複数のビューを異なる方向に投射するために前記表示パネル上に配置され、異なる方向においてユーザに向けて投射される前記複数のビューへと前記サブピクセルのグループの出力を投射し、それにより自動立体視画像を可能にするためのレンチキュラレンズを有するレンチキュラ・アレイであって、前記レンチキュラレンズは、一般的なカラム・ピクセル方向に対して角度θで傾斜する長軸を持ち、ピッチがPLである、レンチキュラ・アレイ、
を有する自動立体視表示装置であって、
各々のピクセルは、一般的なロウ方向における幅px及び一般的なカラム方向における高さpyを有し、
2014511501.tif 000001
であり、ピクセルの前記ロウは、水平なディスプレイ上端に対して平行であり、ピクセルの前記カラムは、ディスプレイ側端に対して平行であり、a及びbは正の整数であり、
2014511501.tif 000002
であり、n1及びn2は正の整数であり、
n1/n2が非整数であり、
2014511501.tif 000003
であって、qはピクセル毎の異なる色のサブピクセルの数であり、mは正の整数である、装置。
【請求項２】
n2 = qである請求項１に記載の装置。
【請求項３】
q=4であり、
2014511501.tif 000004
及び
2014511501.tif 000005
であって、m及びnは正の整数である、請求項２に記載の装置。
【請求項４】
n=4k+1であり、kは正の整数である、請求項３に記載の装置。
【請求項５】
px/py = 1, m = 1及びn = 5である、請求項４に記載の装置。
【請求項６】
px/py = 2/3, m = 1及びn = 9である、請求項４に記載の装置。
【請求項７】
各々のピクセルが、サブピクセルの４つのカラム及びサブピクセルの２つのロウを有し、各カラムは異なる色であり、２つのカラムを合わせた幅が、他の２つのカラムを合わせた幅に等しい、請求項３から請求項６のいずれか一項に記載の装置。
【請求項８】
ピクセルがRGBWピクセルを有し、ピクセル・カラム幅が全て同じである、請求項７に記載の装置。
【請求項９】
各々のピクセルが、サブピクセルの４つのカラムを備えるRGBYピクセルを有し、px/py = 1, m = 3及びn = 4k+2であり、kは正の整数である、請求項３に記載の装置。
【請求項１０】
k = 2である請求項９に記載の装置。
【請求項１１】
赤及び青のサブピクセルが同じ幅を有し、緑及び黄のサブピクセルが同じ幅を有する、請求項１０に記載の装置。
【請求項１２】
黄及び緑のサブピクセルが、赤及び青のサブピクセルよりも幅が狭い、請求項１１に記載の装置。
【手続補正書】
【提出日】平成26年12月5日(2014.12.5)
【手続補正１】
【補正対象書類名】特許請求の範囲
【補正対象項目名】全文
【補正方法】変更
【補正の内容】
【特許請求の範囲】
【請求項１】
偏波変換器であって、
光入力面及び光軸を有する第１の集光光学系、
前記光軸に平行な第１の伝搬方向に沿って前記光入力面の中に非偏光光束を入射することができる非偏光光源、
複屈折プリズムを含む光学素子であって、前記光学素子が前記第１の集光光学系に面し、かつ前記光入力面に相対して配設され、
前記光学素子が前記非偏光光束を、直交した偏光状態を有する第１の偏光光束及び第２の偏光光束に分割することができ、前記第１及び第２の偏光光束の少なくとも１つが前記第１の伝搬方向から発散する、光学素子、並びに
前記光学素子及び前記第１の集光光学系から前記光入力面に向かって前記第１及び第２の偏光光束を逆に反射するように配設された反射器であって、
前記第１の偏光光束が前記非偏光光源からずれて配置された第１の位置で前記光入力面を通り抜けかつ前記第２の偏光光束が前記第１の位置及び前記非偏光光源からずれて配置された第２の位置で前記光入力面を通り抜ける、反射器を含む、偏波変換器。
【請求項２】
請求項１に記載の偏波変換器を含み、前記非偏光光源が、第１の色光を放射することができる第１の色光源及び第２の色光を放射することができる第２の色光源を含み、それぞれが前記光軸からずれて配置され、並びに前記反射器がダイクロイックプレートを含む、偏波変換色合成器。
【請求項３】
前記ダイクロイックプレートが、
前記第１の色光を反射し、かつその他の色光を透過することができる第１のダイクロイック反射器、及び
前記第２の色光を反射することができる第２の反射器を含み、
前記第１及び第２の色光の両方が反射されて、前記光軸に沿って前記光入力面から、結合された色光束として出射するように、前記第１のダイクロイック反射器及び前記第２の反射器がそれぞれに傾斜している、請求項２に記載の偏波変換色合成器。
【手続補正書】
【提出日】平成27年1月23日(2015.1.23)
【手続補正１】
【補正対象書類名】特許請求の範囲
【補正対象項目名】全文
【補正方法】変更
【補正の内容】
【特許請求の範囲】
【請求項１】
撮像中、フォーカススイープ範囲にわたってフォーカススイープが行われて、少なくとも第１の画像及び第２の画像が撮られ、前記フォーカススイープ中に時間に応じて前記第１の画像及び前記第２の画像について露光強度が異なるように変調される、画像を記録する方法。
【請求項２】
前記露光強度が、前記フォーカススイープ中に時間に応じて前記フォーカススイープの速度を変調することによって変調され、前記変調は前記第１の画像及び前記第２の画像で異なる、請求項１に記載の画像を記録する方法。
【請求項３】
前記露光強度が、前記フォーカススイープ中に光源の時間変調によって変調され、前記時間変調は前記第１の画像及び前記第２の画像で異なる、請求項１に記載の画像を記録する方法。
【請求項４】
前記露光強度が、前記フォーカススイープ中に光路内の透明手段の透明度の時間変調によって変調され、前記時間変調は前記第１の画像及び前記第２の画像で異なる、請求項１に記載の画像を記録する方法。
【請求項５】
前記画像がレンズを介して撮られ、前記レンズの前に前記透明手段が設けられる、請求項４に記載の画像を記録する方法。
【請求項６】
前記画像がレンズを介して撮られ、センサによって記録され、前記透明手段が前記レンズと前記センサとの間の前記光路内に設けられる、請求項４に記載の画像を記録する方法。
【請求項７】
前記第１の画像及び前記第２の画像の一方の画像の前記変調が前記第１の画像及び前記第２の画像の他方の画像の前記変調に対して逆にされるような態様で、両方の画像の露光が前記フォーカススイープ中に時間に応じて変調され、前記第１の画像及び前記第２の画像の和に対する露光が前記フォーカススイープにわたってほぼ一定である、請求項１乃至６の何れか一項に記載の画像を記録する方法。
【請求項８】
第１の画像及び第２の画像内の高周波情報を比較することと、前記比較から奥行きマップを計算することとにより、請求項１乃至７の何れか一項に記載の画像を記録する方法によって撮られる画像から３Ｄ情報を得る方法。
【請求項９】
コンピュータ上で実行されるときに請求項１乃至８の何れか一項に記載の方法を実行するための、コンピュータ可読媒体上に記憶されるプログラムコード手段を含む、コンピュータプログラム。
【請求項１０】
コンピュータ上で実行されるときに請求項１乃至８の何れか一項に記載の方法を実行するための、処理手段を含むコンピュータ構成によってロードされる、コンピュータプログラム。
【請求項１１】
レンズ、センサ、及びフォーカススイープを行うための手段を含むカメラシステムであって、前記カメラシステムは、前記フォーカススイープ中に時間に応じて露光強度を変調するための手段を含む、カメラシステム。
【請求項１２】
前記カメラシステムが光源を含み、前記変調するための手段が、前記フォーカススイープ中に前記光源の前記強度を時間変調するための手段である、請求項１１に記載のカメラシステム。
【請求項１３】
前記カメラシステムが、前記レンズの前に又は前記レンズと前記センサとの間に透明なプレートを含み、前記変調するための手段が、前記フォーカススイープ中に前記透明なプレートの透明度を時間変調するための手段である、請求項１１に記載のカメラシステム。
【請求項１４】
前記カメラシステムが、単一のフォーカススイープ中に第１の画像及び第２の画像を同時に撮り、前記変調するための手段が、前記第１の画像及び前記第２の画像について前記露光強度を異なるように変調する、請求項１１に記載のカメラシステム。
【請求項１５】
前記カメラシステムが、連続したフォーカススイープ中に第１の画像及び第２の画像を連続して撮り、前記変調するための手段が、前記第１の画像及び前記第２の画像について前記露光強度を異なるように変調する、請求項１１に記載のカメラシステム。